(57)【要約】【課題】引っ掛け位置が低位置であっても引っ掛けることができるフック部構造を提供する。【解決手段】本体２を構成する後面構成部材１３に本体２より延出する延出片６１を設ける。延出片６１の基部に延出片６１を本体２側へ折返し可能に折曲する折曲部７１を設定する。延出片６１の自由端部を本体２から離間して延出片６１と本体２との間に引っ掛け空間１０１を形成可能とする。この状態で延出片６１の本体２から離間する方向への回動を阻止片３１で阻止し延出片６１と本体２を構成する後面構成部材１３とでフック形状を形成する。【選択図】図４
2015101404.tif 000002
【特許請求の範囲】
【請求項１】
本体を対象箇所に引っ掛けるフック部構造において、
前記本体に当該本体より延出する延出片を設け、該延出片の基部に当該延出片を前記本体側へ折返し可能に折曲する折曲部を設定するとともに、前記延出片の自由端部を前記本体から離間して前記延出片と前記本体との間に引っ掛け空間を形成した状態で前記延出片の前記本体から離間する方向への回動を阻止手段で阻止し前記延出片と前記本体とでフック形状を形成したことを特徴とするフック部構造。
【請求項２】
前記延出片を、前記本体に沿って配置した非使用状態を形成可能に構成したことを特徴とする請求項１記載のフック部構造。
【請求項３】
前記本体を、前面側を形成する前面構成部材と、該前面構成部材にヒンジ部を介して連結された後面側を形成する後面構成部材とで構成し、前記前面構成部材と前記後面構成部材とが並設された開放状態及び前記前面構成部材を前記後面構成部材に沿って配置して当該前面構成部材と前記後面構成部材との間に収容空間を形成した閉鎖状態を形成可能に構成したことを特徴とする請求項１又は２記載のフック部構造。
【請求項４】
前記収容空間に収容されるカートリッジを備え、該カートリッジ内の薬剤の残量を視認する視認窓を前記前面構成部材に設けたことを特徴とする請求項３記載のフック部構造。
【請求項５】
前記後面構成部材に前記延出片を設けるとともに、前記前面構成部材に前記阻止手段を設け、前記閉鎖状態において前記延出片が前記阻止手段に当接して前記延出片の回動を阻止するように構成したことを特徴とする請求項３又は４記載のフック部構造。
【請求項６】
前記延出片及び前記阻止手段に互いに係合する係合手段を設け、前記延出片が前記阻止手段に当接した状態を維持可能に構成したことを特徴とする請求項５記載のフック部構造。
【発明の詳細な説明】
【技術分野】
【０００１】
本発明は、対象物に引っ掛けることができるフック部構造に関する。
【背景技術】
【０００２】
従来、フックを備えた製品としては、図７に示すように、吊下式容器８０１が知られている（例えば、特許文献１及び特許文献２参照。）。
【０００３】
この吊下式容器８０１は、容器本体８１１を備えており、該容器本体８１１内には、芳香剤等が収容されている。この容器本体８１１には、吊り下げ用のフック８１２が設けられており、前記容器本体８１１をハンガーロッド等に引っ掛けて吊り下げ使用できるように構成されている。
【０００４】
このフック８１２は、板状部材によって形成されており、その基部を折曲することで、当該フック８１２を前記容器本体８１１より延出できるように構成されている。
【０００５】
前記板状部材の中央部には、切欠部８２１が形成されており、該切欠部８２１は、側方へ向けて開口するように構成されている。これにより、前記ハンガーロッド等を開口部８３１を介して前記切欠部８２１内に挿通できるように構成されている。
【先行技術文献】
【特許文献】
【０００６】
【特許文献１】特開２００５−２３９２５５
【特許文献２】特開２００５−２３９２６１
【発明の概要】
【発明が解決しようとする課題】
【０００７】
しかしながら、このようなフック部構造を備えた吊下容器８０１にあっては、フック８１２が容器本体８１１から延出することとなる。
【０００８】
このため、この吊下容器８０１を引っ掛けて吊り下げる際には、引っ掛け位置から、少なくとも前記容器本体８１１の高さ寸法８４１に前記フック８１２の延出寸法８４２を加えた長さ空間を確保しなければならず、吊り下げ箇所が制限されてしまう。
【０００９】
本発明は、このような従来の課題に鑑みてなされたものであり、引っ掛け位置が低位置であっても引っ掛けることができるフック部構造を提供することを目的とするものである。
【課題を解決するための手段】
【００１０】
前記課題を解決するために本発明の請求項１のフック部構造にあっては、本体を対象箇所に引っ掛けるフック部構造において、前記本体に当該本体より延出する延出片を設け、該延出片の基部に当該延出片を前記本体側へ折返し可能に折曲する折曲部を設定するとともに、前記延出片の自由端部を前記本体から離間して前記延出片と前記本体との間に引っ掛け空間を形成した状態で前記延出片の前記本体から離間する方向への回動を阻止手段で阻止し前記延出片と前記本体とでフック形状を形成した。
【００１１】
すなわち、本体より延出した延出片が折曲部によって前記本体側に折り返されるとともに、前記延出片の自由端部を前記本体から離間して前記延出片と前記本体との間に引っ掛け空間を形成した状態で前記延出片の回動を阻止手段で阻止することによって、前記延出片と前記本体とでフック形状を形成することができる。
【００１２】
このため、引っ掛け位置から前記本体の高さ寸法の長さ空間を確保するだけで、当該本体の引っ掛けが可能となる。
【００１３】
また、前記延出片は、阻止手段によって前記本体から離間する方向への回動が防止される。このため、使用時での不用意な開きが防止される。
【００１４】
そして、前記延出片は、前記本体より延出した状態で形成される。このため、延出片が本体側に折り返された折返し形状の製品を形成する場合と比較して、金型での成型が容易に行われる。
【００１５】
また、請求項２のフック部構造においては、前記延出片を、前記本体に沿って配置した非使用状態を形成可能に構成した。
【００１６】
すなわち、非使用時には、前記延出片を前記本体に沿って配置することができる。このため、前記本体をパッケージに収容する際には、前記延出片を前記本体に沿って配置することでコンパクト化が図られる。
【００１７】
さらに、請求項３のフック部構造では、前記本体を、前面側を形成する前面構成部材と、該前面構成部材にヒンジ部を介して連結された後面側を形成する後面構成部材とで構成し、前記前面構成部材と前記後面構成部材とが並設された開放状態及び前記前面構成部材を前記後面構成部材に沿って配置して当該前面構成部材と前記後面構成部材との間に収容空間を形成した閉鎖状態を形成可能に構成した。
【００１８】
すなわち、前記本体は、前面側を形成する前面構成部材と、該前面構成部材にヒンジ部を介して連結された後面側を形成する後面構成部材とで構成されており、前記前面構成部材と前記後面構成部材とが並設された開放状態を形成することができる。このため、当該本体を形成する際には、前記開放状態を形成することで、前記前面構成部材と前記後面構成部材と前記ヒンジ部とが金型によって形成される。
【００１９】
また、前記ヒンジ部で折曲することで、前記前面構成部材を前記後面構成部材に沿って配置し、当該前面構成部材と前記後面構成部材との間に収容空間を形成した閉鎖状態を形成することができる。これにより、使用時には、前記収容空間にカートリッジ等の収容が可能となる。
【００２０】
加えて、請求項４のフック部構造にあっては、前記収容空間に収容されるカートリッジを備え、該カートリッジ内の薬剤の残量を視認する視認窓を前記前面構成部材に設けた。
【００２１】
すなわち、前記収容空間には、薬剤を備えたカートリッジが収容される。これにより、薬剤の揮散などが可能となる。
【００２２】
そして、本体の前面構成部材には、視認窓が設けられており、該視認窓から前記カートリッジ内の薬剤の残量を視認することができる。このため、前記カートリッジの交換時期が前記本体外部から確認される。
【００２３】
また、請求項５のフック部構造においては、前記後面構成部材に前記延出片を設けるとともに、前記前面構成部材に前記阻止手段を設け、前記閉鎖状態において前記延出片が前記阻止手段に当接して前記延出片の回動を阻止するように構成した。
【００２４】
すなわち、前記後面構成部材には、前記延出片が設けられており、前記前面構成部材に前記阻止手段が設けられている。
【００２５】
このため、前記本体を形成する際には、前記開放状態を形成することで、前記前面構成部材及び前記阻止手段と、前記後面構成部材及び前記延出片と、前記ヒンジ部とが単一の金型によって形成される。
【００２６】
さらに、請求項６のフック部構造では、前記延出片及び前記阻止手段に互いに係合する係合手段を設け、前記延出片が前記阻止手段に当接した状態を維持可能に構成した。
【００２７】
すなわち、前記延出片及び前記阻止手段には、互いに係合する係合手段が設けられており、前記延出片が前記阻止手段に当接した状態を維持することができる。
【００２８】
このため、前記延出片の自由端部を前記本体から離間して前記延出片と前記本体との間に引っ掛け空間を形成した状態を維持することができる。
【００２９】
また、前記延出片は、その自由端部が前記本体から離間した状態に維持されるので、当該延出片を載置面側に配置して載置した状態において、前記本体を傾斜して配設することができる。このため、収容空間内の薬剤を揮散する際には、その揮散効率が高められる。また、前面構成部材に視認窓が設けられた構造においては、当該視認窓を介したカートリッジ内の薬剤残量の確認が容易に行われる。
【発明の効果】
【００３０】
以上説明したように本発明の請求項１のフック部構造にあっては、本体と、該本体側に折り返された延出片とによってフック形状を形成することができる。
【００３１】
このため、本体からフックが延出する構造上、引っ掛け位置から、少なくとも本体の高さにフックの延出分を加えた長さ空間を確保しなければ吊り下げることができなかった従来と比較して、引っ掛け位置から前記本体の高さ寸法の長さ空間を確保できれば、当該本体の引っ掛けが可能となる。
【００３２】
これにより、例えば靴の縁など、高さ寸法の低い場所であっても前記本体を引っ掛けて吊り下げることができ、下駄箱用の消臭剤等としての使用が可能となる。
【００３３】
また、前記延出片は、阻止手段によって前記本体から離間する方向への回動が防止される。このため、使用時での不用意な開きを防止することができる。これにより、前記本体の不用意な離脱を防止することができる。
【００３４】
そして、前記延出片は、前記本体より延出した状態で形成される。このため、延出片が本体側に折り返された折返し形状の製品を形成する場合と比較して、薄型の金型での成型を容易に行うことができる。また、本体と延出片とを別パーツで構成する場合と比較して、組み付け作業が不要になる。
【００３５】
また、請求項２のフック部構造においては、非使用時に前記延出片を前記本体に沿って配置することができる。
【００３６】
このため、前記本体をパッケージに収容する際には、前記延出片を前記本体に沿って配置することでコンパクト化を図れるとともに、輸送・展示の際に生じ得る不具合を未然に防止することができる。
【００３７】
さらに、請求項３のフック部構造では、本体を構成する前面構成部材と後面構成部材とが並設された開放状態を形成することで、当該本体を形成する際には、前記前面構成部材と前記後面構成部材とヒンジ部とを金型によって一体形成することができる。
【００３８】
これにより、別金型で個別に形成する場合と比較して、成形コストを抑えることができるとともに、各パーツの組み付け作業が不要となる。
【００３９】
また、前記ヒンジ部で折曲することで、前記前面構成部材を前記後面構成部材に沿って配置し、当該前面構成部材と前記後面構成部材との間に収容空間を形成した閉鎖状態を形成することができる。これにより、使用時には、前記収容空間にカートリッジ等の収容が可能となり、例えば消臭カートリッジを収容することで、消臭材として利用することができる。
【００４０】
加えて、請求項４のフック部構造にあっては、本体内に形成された収容空間には、薬剤を備えたカートリッジが収容される。これにより、当該カートリッジの薬剤を揮散するなどの使用形態が可能となる。
【００４１】
そして、本体の前面構成部材には、視認窓が設けられており、該視認窓から前記カートリッジ内の薬剤の残量を視認することができる。このため、前記カートリッジの交換時期を前記本体外部から確認することができ、利便性が向上する。
【００４２】
また、請求項５のフック部構造においては、前記後面構成部材には、前記延出片が設けられており、前記前面構成部材に前記阻止手段が設けられている。
【００４３】
このため、前記本体を形成する際には、前記開放状態を形成することで、前記前面構成部材及び前記阻止手段と、前記後面構成部材及び前記延出片と、前記ヒンジ部とを単一の金型によって形成することができる。
【００４４】
さらに、請求項６のフック部構造では、前記延出片及び前記阻止手段には、互いに係合する係合手段が設けられており、前記延出片が前記阻止手段に当接した状態を維持することができる。このため、前記延出片の自由端部を前記本体から離間して前記延出片と前記本体との間に引っ掛け空間を形成した状態を維持することができる。
【００４５】
また、前記延出片は、その自由端部が前記本体から離間した状態に維持されるので、当該延出片を載置面側に配置して載置した状態において、前記本体を傾斜して配設することができる。このため、収容空間内の薬剤を揮散する際には、その揮散効率を高めることができる。また、前面構成部材に視認窓が設けられた構造においては、当該視認窓を介したカートリッジ内の薬剤残量の確認を容易に行うことができる。
【図面の簡単な説明】
【００４６】
【図１】本発明の第一の実施の形態を示す斜視図である。
【図２】同実施の形態の平面図である。
【図３】同実施の形態の底面図である。
【図４】同実施の形態の側面図である。
【図５】同実施の形態の使用状態を示す図であり、（ａ）は靴の縁に引っ掛けた状態を示す図で、（ｂ）は載置面に載置した状態を示す図である。
【図６】同実施の形態の他の使用状態を示す図である。
【図７】従来例を示す図である。
【発明を実施するための形態】
【００４７】
以下、本発明の一実施の形態を図に従って説明する。
【００４８】
図１は、本実施の形態にかかるフック部構造を備えた薬剤揮散器１を示す図であり、薬剤揮散器１の本体２が解放された状態が示されている。この薬剤揮散器１は、図５に示すように、対象箇所３の縁４に引っ掛けたり、載置面５に載置することで、空間に薬剤を付与するものである。
【００４９】
前記本体２は、図１から図４に示すように、前面側を形成する前面構成部材１１と、該前面構成部材１１にヒンジで構成されたヒンジ部１２を介して連結された後面側を形成する後面構成部材１３とで構成されており、図１から図３に示したように、前記前面構成部材１１と前記後面構成部材１３とを並設された開放状態１４と、図４に示したように、前記前面構成部材１１を前記後面構成部材１３に沿って配置して当該前面構成部材１１と前記後面構成部材１３との間に収容空間を形成した閉鎖状態１５を形成可能に構成されている。
【００５０】
この薬剤揮散器１は、図外のカートリッジを備えており、該カートリッジは、透明の容器体と該容器体の開口部を閉鎖する蓋部とによって形成されている。前記容器体には、消臭成分を含有した液状薬剤が収容されており、前記蓋部は、この液状薬剤の透過は阻止する一方、気化した前記液状薬剤は透過できるように構成されている。これにより、前記液状薬剤を揮散できるように構成されている。
【００５１】
なお、本実施の形態では、前記フック部構造を薬剤揮散器１に使用する場合について説明するが、これに限定されるものではなく、芳香剤や防虫剤等に使用してもよい。
【００５２】
前記前面構成部材１１は、図１から図３に示したように、楕円形状に形成されており、中央部が表面側に膨出した断面円弧状に形成されている。この前面構成部材１１には、紐靴のデザインが施されており、その足挿入部分は、開口している。また、靴紐２１間にも、開口しており、これらの開口部によって、内部に収容された前記カートリッジ内の液状薬剤の残量を視認することができる視認窓２２，・・・が構成されている。
【００５３】
前記前面構成部材１１の後縁部には、阻止手段としての阻止片３１が後方へ向けて延出している。該阻止片３１は、図１及び図４に示すように先端に向かうに従って裏側に延出するように傾斜して設けられている。この阻止片３１に裏面には、図３に示したように、係合凸部３２が突設されており、該係合凸部３２は、長方形状に形成されている。
【００５４】
前記後面構成部材１３も、楕円形状に形成されており、前記前面構成部材１１と適合する形状に形成されている。この後面構成部材１３には、図２及び図３に示したように、四隅に長方形状の揮散口４１，・・・が設けられており、収容された前記カートリッジから揮散された液状薬剤を外部に放出できるように構成されている。
【００５５】
この後面構成部材１３の内側面には、図３に示したように、複数の補強リブ５１，・・・が一体形成されており、四隅の補強リブ５１，・・・の基端部には、円形穴５２，・・・が設けられている。これらの円形穴５２，・・・に対向する前記前面構成部材１１の部位には、円柱部５３，・・・が立設されており、各円柱部５３，・・・は、対向する円形穴５２，・・・と係合するように構成されている。これにより、前記後面構成部材１３を前記前面構成部材１１の裏側に折り返した状態で、前記各円柱部５３，・・・が前記円形穴５２，・・・に係合することで、前記両構成部材１１，１３が係合するように構成されており、当該本体２内に前記カートリッジを収容する為の収容空間を形成できるように構成されている。
【００５６】
前記後面構成部材１１の後縁からは、図３にも示したように、延出片６１が延出しており、前記本体２から前記延出片６１が延出するように構成されている。該延出片６１は、図４にも示すように、前記後面構成部材１３より短い板状に形成されており、基端部に折曲した折曲部６２が設けられている。これにより、当該延出片６１は、断面Ｌ字状に形成されている。
【００５７】
この延出片６１と前記後面構成部材１３との間には、図３に示したように、折曲部７１が設けられており、該折曲部７１は、ヒンジで構成されている。これにより、前記延出片６１は、その基部に設けられた前記折曲部７１で折曲することで、当該延出片６１を前記本体２を構成する前記後面構成部材１３側へ折り返せるように構成されている。
【００５８】
この延出片６１は、図２にも示すように、Ｔ字状に形成されており、その先端部には、長方形状の突条８１が形成されている。また、この突条８１の基端側には、円形穴８２，８２が二箇所に形成されている。この延出片６１が折り返される前記後面構成部材１３の部位には、前記延出片６１を配置可能な延出片収容凹部８３が凹設されている。
【００５９】
該延出片収容凹部８３内には、円柱部９１，９１が二箇所に立設されており、前記延出片６１を前記後面構成部材１３側に折り返した状態で、前記円柱部９１，９１が前記延出片６１の前記円形穴８２，８２と係合するように構成されている。また、前記円柱部９１，９１の先端側には、長方形状の長方形凹部９２が設けられており、前記延出片６１を前記後面構成部材１３側に折り返して前記延出片収容凹部８３内に配置した状態で、前記延出片６１に形成された前記突条８１が前記長方形凹部９２と係合するように構成されている。
【００６０】
これにより、前記延出片６１を、前記本体２に沿って配置した非使用状態を形成できるように構成されており、この非使用状態で前記延出片６１の不用意な揺動を防止することで、当該本体２をパッケージに収容する際には、コンパクト化を図れるとともに、輸送・展示の際に生じ得る不具合を未然に防止することができる。
【００６１】
そして、前記延出片６１の自由端部を前記本体２を構成する前記後面構成部材１３から離間することで、図４に示すように、前記延出片６１と前記後面構成部材１３との間に引っ掛け空間１０１を形成できるように構成されており、この状態において、前記前面構成部材１１に設けられた前記阻止片３１が前記延出片６１基端の折曲部６２に当接することで、当該延出片６１の前記本体２から離間する方向への回動を阻止し前記延出片６１と前記本体２を構成する前記前面構成部材１３とでフック形状を形成できるように構成されている。
【００６２】
このとき、前記延出片６１基端の前記折曲部６２には、図３に示したように、矩形状の係合穴１１１が設けられており、該係合穴１１１には、前記阻止片３１に設けられた係合凸部３２が挿入された状態で係合するように構成されている。これにより、前記延出片６１及び前記阻止片３１には、互いに係合する係合手段が設けられており、前記延出片６１が前記阻止片３１に当接した状態を維持することで、前記延出片６１の前記本体２側への不用意な移動を防止できるように構成されている。
【００６３】
以上の構成にかかる本実施において、本体２より延出した延出片６１を折曲部７１で前記本体２側に折り返すとともに、前記延出片６１の自由端部を前記本体２から離間して前記延出片６１と前記本体２との間に引っ掛け空間１０１を形成した状態で前記延出片６１の回動を阻止片３１で阻止することによって、前記延出片６１と前記本体２とでフック形状を形成することができる。
【００６４】
このため、本体からフックが延出する構造上、引っ掛け位置から、少なくとも本体の高さにフックの延出分を加えた長さ空間を確保しなければ吊り下げることができなかった従来と比較して、引っ掛け位置から前記本体２の高さ寸法の長さ空間を確保できれば、当該本体２の引っ掛けが可能となる。
【００６５】
これにより、図５の（ａ）に示すように、対象箇所３の縁４など、高さ寸法の低い場所であっても前記本体２を引っ掛けて吊り下げることができ、空間に薬剤を付与することが可能となる。
【００６６】
さらに、前記延出片６１と前記本体２との間に形成される前記引っ掛け空間１０１の大きさは、前記折り曲げ部６２に近づくにつれて小さくなるように構成されている。このため、多様な厚みの縁４に対して前記本体２を引っ掛けることが可能となる。すなわち、前記縁４の厚みが厚い場合には、前記本体２と前記延出片６１とが前記折曲部６２から離れた位置で前記縁４の両端と当接する。一方、前記縁４の厚みが薄い場合には、前記本体２と前記延出片６１とが前記折曲部６２に近い位置で前記縁４の両端と当接することとなる。
【００６７】
また、前記延出片６１は、前記阻止片３１によって前記本体２から離間する方向への回動が防止される。このため、使用時での不用意な開きを防止することができる。これにより、前記本体２の対象箇所３からの不用意な離脱を防止することができる。
【００６８】
このとき、前記延出片６１には、横断方向に延在する突条８１が突設されており、該突条８１は、図６に示すように、引っ掛け対象箇所３の縁４に引っかかる効果を発揮する。
【００６９】
このため、前記対象箇所３の前記縁４に対して前記薬剤揮散器１の引っ掛け位置がずれた場合であっても、前記突条８１が前記縁４に引っ掛かることで、該縁４からの離脱を防止することができる。これにより、前記対象箇所３の前記縁４が曲線で構成されたり、凹凸に形成された場合であっても、これらの凹凸に合わせて前記突条８１が引っ掛かることで、不用意な離脱を防止することができる。
【００７０】
そして、前記延出片６１は、前記本体２より延出した開放状態１４で形成される。このため、延出片が本体側に折り返された折返し形状の製品を形成する場合と比較して、薄型の金型での成型を容易に行うことができる。また、本体と延出片とを別パーツで構成する場合と比較して、組み付け作業が不要になる。
【００７１】
また、非使用時には、前記延出片６１を前記本体２に沿って配置することができる。
【００７２】
このため、前記本体２をパッケージに収容する際には、前記延出片６１を前記本体２に沿って配置することでコンパクト化を図れるとともに、輸送・展示の際に生じ得る不具合を未然に防止することができる。
【００７３】
さらに、前記本体２は、前面側を形成する前面構成部材１１と、該前面構成部材１１にヒンジ部１２を介して連結された後面側を形成する後面構成部材１３とで構成されており、前記前面構成部材１１と前記後面構成部材１３とが並設された開放状態１４を形成することができる。このため、当該本体２を形成する際には、前記開放状態１４を形成することで、前記前面構成部材１１と前記後面構成部材１３と前記ヒンジ部１２とを金型によって一体形成することができる。
【００７４】
これにより、別金型で個別に形成する場合と比較して、成形コストを抑えることができるとともに、各パーツの組み付け作業が不要となる。
【００７５】
また、前記本体２を前記ヒンジ部１２で折曲することで、前記前面構成部材１１を前記後面構成部材１３に沿って配置し、当該前面構成部材１１と前記後面構成部材１３との間に収容空間を形成した閉鎖状態１５を形成することができる。これにより、使用時には、前記収容空間にカートリッジの収容が可能となり、消臭成分を含有する液状薬剤が収容されたカートリッジを収容することで、消臭剤として利用することができる。
【００７６】
また、本実施の形態では、前記本体２内に形成された収容空間に、液状薬剤を有するカートリッジが収容される。これにより、当該カートリッジの液状薬剤を揮散することができる。
【００７７】
そして、前記本体２の前面構成部材１１には、視認窓２２，・・・が設けられており、該視認窓２２，・・・から前記カートリッジ内の液状薬剤の残量を視認することができる。このため、前記カートリッジの交換時期を前記本体２外部から確認することができ、利便性が向上する。
【００７８】
さらに、前記後面構成部材１３には、前記延出片６１が設けられており、前記前面構成部材１１に前記阻止片３１が設けられている。
【００７９】
このため、前記本体２を形成する際には、前記開放状態１４を形成することで、前記前面構成部材１１及び前記阻止片３１と、前記後面構成部材１１及び前記延出片６１と、前記ヒンジ部１２とを金型によって形成することができる。
【００８０】
そして、前記延出片６１及び前記阻止片３１には、互いに係合する係合凸部３２及び係合穴１１１からなる係合手段が設けられており、前記延出片６１が前記阻止片３１に当接した状態を維持することができる。このため、前記延出片６１の自由端部を前記本体２から離間して前記延出片６１と前記本体２との間に引っ掛け空間１０１を形成した状態を維持することができる。
【００８１】
また、前記延出片６１は、その自由端部が前記本体２から離間した状態に維持されるので、当該延出片６１を載置面５側に配置して載置した状態において、前記本体２を傾斜して配設することができる。
【００８２】
このように、前記縁４に引っ掛けて使用することも、前記載置面５に載置して使用することも可能であり、設置場所を選ばず使用することができる。
【００８３】
このため、カートリッジ内の液状薬剤を前記後面構成部材１３の裏面側に開口した揮散口４１，・・・の開口部分から揮散することができ、その揮散効率を高めることができる。
【００８４】
また、前記本体２を上方から覗き込むことなく、前記視認窓２２，・・・を横方向から覗くことができるので、カートリッジ内の薬剤残量の確認を容易に行うことができる。
【符号の説明】
【００８５】
２    本体
１１    前面構成部材
１２    ヒンジ部
１３    後面構成部材
１４    開放状態
１５    閉鎖状態
２２    視認窓
３１    阻止片
３２    係合凸部
６１    延出片
７１    折曲部
１０１    引っ掛け空間
【図１】
2015101404.tif 000003
【図２】
2015101404.tif 000004
【図３】
2015101404.tif 000005
【図４】
2015101404.tif 000006
【図５】
2015101404.tif 000007
【図６】
2015101404.tif 000008
【図７】
2015101404.tif 000009